【手続補正書】
【提出日】平成28年3月16日(2016.3.16)
【手続補正１】
【補正対象書類名】明細書
【補正対象項目名】００２０
【補正方法】変更
【補正の内容】
【００２０】
本発明の冷蔵庫の一態様は、背面壁、側壁を有し、前面が開口した貯蔵室を有する冷蔵庫であって、前記側壁の内面を形成する内箱と前記背面壁の内面を形成する内箱とのコーナー部に形成され前記背面壁の内面よりも前面側に突出するように設けられた凸部と、前記背面壁の内面を形成する内箱と前記背面壁の外面を形成する外箱との間に設けられ、前記凸部と幅方向に一部が重なるように配置された平板状の真空断熱材と、前記凸部に充填もしくは封入され、前記内箱と前記真空断熱材とを接着、固着、もしくは固定する第１の介在部材と、前記真空断熱材と前記外箱とを接着、固着、もしくは固定する発泡断熱材とは異なる第２の介在部材と、前記背面壁に設けられ、前記第１の介在部材の原液を注入する注入口と、を備え、前記注入口の幅方向内側端部は前記凸部の設けられている範囲に設けられ、前記真空断熱材は前記注入口の少なくとも一部を塞がないように配置されており、前記凸部において前記内箱、前記外箱と一体に形成されているものである。
本発明の冷蔵庫の他の態様は、背面壁、側壁を有し、前面が開口した貯蔵室と、前記貯蔵室を閉塞する扉と、を有する冷蔵庫であって、前記側壁の内面を形成する内箱と前記背面壁の内面を形成する内箱とのコーナー部に形成され前記背面壁の内面よりも前面側に突出するように設けられた凸部と、前記背面壁の内面を形成する内箱と前記背面壁の外面を形成する外箱との間に設けられ、前記凸部と幅方向に一部が重なる平板状の真空断熱材と、前記凸部に充填もしくは封入され、前記内箱と前記真空断熱材とを接着、固着、もしくは固定する第１の介在部材と、前記真空断熱材と前記外箱とを接着、固着、もしくは固定する発泡断熱材とは異なる第２の介在部材と、前記背面壁に設けられ、前記第１の介在部材の原液を注入する注入口と、を備え、前記扉は前面にガラス面材を有し、前記注入口は前記凸部の設けられている範囲に設けられ、前記真空断熱材は、前記凸部において前記内箱、前記外箱と一体に形成されているものである。
【手続補正２】
【補正対象書類名】特許請求の範囲
【補正対象項目名】全文
【補正方法】変更
【補正の内容】
【特許請求の範囲】
【請求項１】
背面壁、側壁を有し、前面が開口した貯蔵室を有する冷蔵庫であって、
前記側壁の内面を形成する内箱と前記背面壁の内面を形成する内箱とのコーナー部に形成され前記背面壁の内面よりも前面側に突出するように設けられた凸部と、
前記背面壁の内面を形成する内箱と前記背面壁の外面を形成する外箱との間に設けられ、前記凸部と幅方向に一部が重なるように配置された平板状の真空断熱材と、
前記凸部に充填もしくは封入され、前記内箱と前記真空断熱材とを接着、固着、もしくは固定する第１の介在部材と、
前記真空断熱材と前記外箱とを接着、固着、もしくは固定する発泡断熱材とは異なる第２の介在部材と、
前記背面壁に設けられ、前記第１の介在部材の原液を注入する注入口と、
を備え、
前記注入口の幅方向内側端部は前記凸部の設けられている範囲に設けられ、
前記真空断熱材は前記注入口の少なくとも一部を塞がないように配置されており、前記凸部において前記内箱、前記外箱と一体に形成されている冷蔵庫。
【請求項２】
背面壁、側壁を有し、前面が開口した貯蔵室と、前記貯蔵室を閉塞する扉と、を有する冷蔵庫であって、
前記側壁の内面を形成する内箱と前記背面壁の内面を形成する内箱とのコーナー部に形成され前記背面壁の内面よりも前面側に突出するように設けられた凸部と、
前記背面壁の内面を形成する内箱と前記背面壁の外面を形成する外箱との間に設けられ、前記凸部と幅方向に一部が重なる平板状の真空断熱材と、
前記凸部に充填もしくは封入され、前記内箱と前記真空断熱材とを接着、固着、もしくは固定する第１の介在部材と、
前記真空断熱材と前記外箱とを接着、固着、もしくは固定する発泡断熱材とは異なる第２の介在部材と、
前記背面壁に設けられ、前記第１の介在部材の原液を注入する注入口と、
を備え、
前記扉は前面にガラス面材を有し、
前記注入口は前記凸部の設けられている範囲に設けられ、
前記真空断熱材は、前記凸部において前記内箱、前記外箱と一体に形成されている冷蔵庫。
【請求項３】
前記凸部の側面と前記背面壁とによって形成され、後方側に凹んだ凹部と、
前記貯蔵室の背面の少なくとも一部を覆うカバー部材を備え、
前記凹部には前記カバー部材を取り付けるための第１の取り付け部が設けられ
前記カバー部材は、前記第１の取り付け部に取り付けられる第２の取り付け部が設けられている請求項１または請求項２に記載の冷蔵庫。
【請求項４】
前記カバー部材が前記凹部とともに風路を形成している請求項３に記載の冷蔵庫。
【請求項５】
前記カバー部材は、風路の少なくとも一部を形成、あるいは風路の少なくとも一部を覆うものである請求項３に記載の冷蔵庫。
【請求項６】
前記第１の取り付け部が前面側に突出した突起部であり、
前記カバー部材がネジまたは引っ掛け構造あるいは嵌め込構造あるいは凹凸嵌合構造により前記突起部に固定あるいは保持される請求項３〜５のいずれか一項に記載の冷蔵庫。
【請求項７】
前記第１の介在部材は前記凹部において、前記凹部を形成する内箱と前記真空断熱材との間の空間の一部範囲あるいは全範囲に充填、封入、もしくは塗布されている請求項３〜６のいずれか一項に記載の冷蔵庫。
【請求項８】
前記第１の取り付け部が前記凹部を形成する前記内箱とは別体である請求項３〜７のいずれか一項に記載の冷蔵庫。
【請求項９】
前記真空断熱材と前記内箱との間に充填あるいは封入される前記第１の介在部材が発泡断熱材であり、
前記発泡断熱材の発泡後の密度が６０ｋｇ／ｍ３より大きく１００ｋｇ／ｍ３以下である請求項１〜８のいずれか一項に記載の冷蔵庫。
【請求項１０】
前記凸部が横断面において斜辺部を有する略三角形状をしており、前記注入口が前記斜辺部と対向する位置に設けられていることを特徴とする請求項１〜９のいずれか一項に記載の冷蔵庫。
【請求項１１】
前記注入口が、前記凸部の範囲に設けられている請求項１、３〜１０のいずれか一項に記載の冷蔵庫。
【請求項１２】
前記側壁の厚さをＴ１、前記注入口の幅方向長さをｒ１、前記凸部の幅方向長さをＡとした時、前記注入口を前記背面壁の幅方向端部から距離Ｔ０１だけ離して配置する時、前記背面壁の幅方向端部から前記注入口の幅方向内側端部までの距離Ｙ１が
Ｔ０１＋ｒ１＜＝Ｙ１＜＝Ｔ１＋Ａ
である請求項１〜１１のいずれか一項に記載の冷蔵庫。
【請求項１３】
前記距離Ｔ０１が、前記注入口が加工可能な距離、あるいは、前記第１の介在部材の流動が阻害されない距離である請求項１２に記載の冷蔵庫。
【請求項１４】
前記側壁の内面を形成する内箱と前記側壁の外面を形成する外箱との間に設けられた第２の真空断熱材と、
前記第２の真空断熱材と前記側壁の内面を形成する内箱との間に充填される発泡断熱材と、を備え、
前記距離Ｔ０１は、前記発泡断熱材の流動が前記第２の真空断熱材に邪魔されない距離である請求項１２または請求項１３に記載の冷蔵庫。
【請求項１５】
前記真空断熱材は、前記注入口と対向する部位に前記注入口と干渉しないように切り欠きまたは開口などの切り欠き部が設けられている請求項１〜１４のいずれか一項に記載の冷蔵庫。
【請求項１６】
前記真空断熱材と対向する部位の前記第１の介在部材の厚さが１０ｍｍよりも小さい請求項１〜１５のいずれか一項に記載の冷蔵庫。
【請求項１７】
背面側に設けられた機械室を備え、
前記注入口は、前記機械室を除く背面壁の４隅近傍に４箇所設けられている請求項１〜１６のいずれか一項に記載の冷蔵庫。
【請求項１８】
前記第１の介在部材の厚さ／（前記第１の介在部材の厚さ＋前記真空断熱材の厚さ）が０．３以下である請求項１〜１７のいずれか一項に記載の冷蔵庫。
【請求項１９】
前記第１の介在部材が硬質ウレタンフォームであり、前記硬質ウレタンフォームの曲げ弾性率が１５ＭＰａ以上である請求項１〜１８のいずれか一項に記載の冷蔵庫。
【請求項２０】
前記扉は、扉枠部と扉内板で形成された扉外郭と、前記扉外郭に設けられた前記ガラス面材と、で形成されており、
前記ガラス面材と前記扉外郭とで形成される扉内部空間に設けられた真空断熱材と、前記扉内部空間に充填あるいは塗布あるいは封入される発泡断熱材と、を備え、
前記ガラス面材と前記真空断熱材との間に充填あるいは塗布あるいは封入される発泡断熱材の発泡後の密度が６０ｋｇ／ｍ３よりも大きく、１００ｋｇ／ｍ３以下であり、厚さが１０ｍｍより小さい請求項２〜１９のいずれか一項に記載の冷蔵庫。
【請求項２１】
前記側壁の厚さが２０ｍｍ以上４０ｍｍ以下であって、
前記側壁の内面を形成する内箱と前記側壁の外面を形成する外箱との間に設けられた第２の真空断熱材と、
前記第２の真空断熱材と前記側壁の内面を形成する内箱との間に充填される発泡断熱材と、を備え、
前記発泡断熱材の発泡後の厚さが１０ｍｍよりも小さい請求項１〜１９のいずれか一項に記載の冷蔵庫。
【請求項２２】
前記貯蔵室として冷蔵室と、冷凍室とを有し、
冷蔵室用冷却器と、冷凍室用冷却器と、を備え、
前記冷蔵室用冷却器が前記冷蔵室の下部の後方に設けられている請求項１〜２１のいずれか一項に記載の冷蔵庫。
【請求項２３】
前記カバー部材が前記凹部に取り付けられて風路を形成し、前記風路が、前記カバー部材と前記カバー部材に固定あるいは保持された風路部品から構成された風路組立体である請求項３〜５のいずれか一項に記載の冷蔵庫。
【請求項２４】
前記カバー部材、あるいは前記カバー部材に固定あるいは保持された風路部品から構成された風路組立体が前記凹部に取り付けられて風路を形成し、前記風路の断面形状が幅方向に細長い楕円形状である請求項３〜５のいずれか一項に記載の冷蔵庫。